(57)【要約】【課題】操作性を向上できるリモートコントローラ、および、リモートコントローラと画像表示装置とを備えた画像表示システムを提供すること。【解決手段】入力する画像情報に応じて光学像を形成する画像表示装置との間で通信可能に接続され、操作者の入力操作により画像表示装置を遠隔操作するリモートコントローラ３は、操作者の入力操作を検出する操作手段３２と、操作手段３２による入力操作に基づいて、画像表示装置の操作制御を行う操作制御信号を生成する操作側制御手段３４と、生成された操作制御信号を、画像表示装置に送信出力する操作側送信手段３３２と、画像表示装置に入力する画像情報に基づく表示可能画像に係る全体画像の情報、および、画像表示装置で表示される表示画像に係る出力画像の情報のうち、少なくともいずれかの情報に基づく画像を表示する操作側表示手段３１とを備える。【選択図】  図１１
2006139222.tif 000002
【特許請求の範囲】
【請求項１】
入力する画像情報に応じて光学像を形成する画像表示装置との間で通信可能に接続され、操作者の入力操作により前記画像表示装置を遠隔操作するリモートコントローラであって、
前記操作者の入力操作を検出する操作手段と、
この操作手段による入力操作に基づいて、前記画像表示装置の操作制御を行う操作制御信号を生成する操作側制御手段と、
この操作側制御手段で生成された操作制御信号を、前記画像表示装置に送信出力する操作側送信手段と、
前記画像表示装置に入力する画像情報に基づく表示可能画像に係る全体画像の情報、および、前記画像表示装置で表示される表示画像に係る出力画像の情報のうち、少なくともいずれかの情報に基づく画像を表示する操作側表示手段とを備えたことを特徴とするリモートコントローラ。
【請求項２】
請求項１に記載のリモートコントローラにおいて、
前記操作手段は、前記操作側表示手段上に設けられるタッチパネルを備え、
前記操作側制御手段は、前記タッチパネルの入力操作に基づいて、操作制御信号を生成することを特徴とするリモートコントローラ。
【請求項３】
請求項１または請求項２に記載のリモートコントローラにおいて、
前記操作側制御手段は、
前記全体画像の情報に基づいて、前記操作側表示手段での全体画像の領域を表す全体画像領域情報を生成する全体画像領域情報生成部と、
前記出力画像の情報に基づいて、前記操作側表示手段による出力画像の領域を表す表示画像領域情報を生成する表示画像領域情報生成部と、
それぞれの画像領域情報生成部で生成された画像領域情報を、加算して重畳して、前記操作側表示手段に表示させる画像領域合成部とを備えていることを特徴とするリモートコントローラ。
【請求項４】
入力する画像情報に応じて光学像を形成する画像表示装置と、この画像表示装置との間で通信可能に接続され、操作者の入力操作により前記画像表示装置を遠隔操作するリモートコントローラとを備えた画像表示システムであって、
前記リモートコントローラは、
前記操作者の入力操作を検出する操作手段と、
この操作手段による入力操作に基づいて、前記画像表示装置の操作制御を行う操作制御信号を生成する操作側制御手段と、
この操作側制御手段で生成された操作制御信号を前記画像表示装置に送信出力する操作側送信手段と、
前記画像表示装置に入力する画像情報に基づく表示可能画像に係る全体画像、および、前記画像表示装置で表示される表示画像に係る出力画像のうち、少なくともいずれかを表示する操作側表示手段とを備え、
前記画像表示装置は、
前記操作側送信手段からの操作制御信号を受信する表示装置側受信手段と、
入力する前記画像情報を処理するとともに、受信した操作制御信号に基づいて、当該画像表示装置全体の制御を行う表示装置側制御手段とを備えていることを特徴とする画像表示システム。
【請求項５】
請求項４に記載の画像表示システムにおいて、
前記画像表示装置は、
前記全体画像の情報、および、前記表示装置側制御手段で制御された結果となる出力画像の情報を、前記リモートコントローラに送信出力する表示装置側送信手段を備え、
前記リモートコントローラは、
前記画像表示装置からの全体画像の情報および出力画像の情報を受信する操作側受信手段を備え、
前記操作側制御手段は、
前記操作側受信手段で受信した全体画像の情報および出力画像の情報に基づいて、前記操作側表示手段に表示させる表示制御信号を生成する操作側表示制御部を備えていることを特徴とする画像表示システム。
【請求項６】
請求項５に記載の画像表示システムにおいて、
前記操作側制御手段は、
前記全体画像の情報に基づいて、前記操作側表示手段での全体画像の領域を表す全体画像領域情報を生成する全体画像領域情報生成部と、
前記出力画像の情報に基づいて、前記操作側表示手段での出力画像の領域を表す出力画像領域情報を生成する出力画像領域情報生成部と、
それぞれの画像領域情報生成部で生成された画像領域情報を、加算して重畳して前記操作側表示手段に表示させる画像領域合成部とを備えていることを特徴とする画像表示システム。
【請求項７】
請求項６に記載の画像表示システムにおいて、
前記画像領域合成部は、重畳された画像領域情報のうち、出力画像の領域内を明るく表示させることを特徴とする画像表示システム。
【発明の詳細な説明】
【技術分野】
【０００１】
本発明は、入力する画像情報に応じて光学像を形成する画像表示装置との間で通信可能に接続され、操作者の入力操作により前記画像表示装置を遠隔操作するリモートコントローラ、および、当該リモートコントローラと前記画像表示装置とを備えた画像表示システムに関する。
【背景技術】
【０００２】
従来、会議、学会、展示会等でのプレゼンテーション等にプロジェクタが用いられている。このようなプロジェクタは、光源と、この光源から射出された光束を画像情報に応じて変調して光学像を形成する光変調装置と、この光変調装置によって形成された光学像を拡大投射する投射レンズと、当該プロジェクタ全体の駆動を制御する制御部とを備えて構成されている。
このようなプロジェクタは、プレゼンテーション時には、使用者は当該プロジェクタから離れた位置に居るので、当該使用者による調整が困難であるという問題があり、遠隔操作を可能としたプロジェクタが要望されていた。
【０００３】
このような遠隔操作が可能なプロジェクタとして、リモコンを備えたプロジェクタが知られている（例えば、特許文献１参照）。ここで、このようなリモコンには、接続機器から入力する画像情報の切り替えを行う入力切替キー、画像の投射位置を調整するための十字キー、プロジェクタの電源をＯＮ／ＯＦＦする電源キー、および、画像の拡大および縮小をするズームキー等が配設され、当該キーを押下すると、リモコンからプロジェクタ本体に信号が送信され、当該信号をプロジェクタ本体の制御部が処理することによって、プロジェクタの操作を遠隔操作することが可能とされている。
【０００４】
このような機能のほかに、特許文献１に記載のプロジェクタのリモコン（リモートコントロール装置）には、プロジェクタ本体と相互通信で結ばれ、プロジェクタ本体の状態が表示される補助表示装置が設けられている。この補助表示装置には、プロジェクタの内部温度異常および電源電圧異常等が発生した場合に、その警告内容等が表示され、使用者はこれを観察することによって、プロジェクタの動作状態を確認することができるように構成されている。
【０００５】
【特許文献１】特開２００３−２８００８８号公報
【発明の開示】
【発明が解決しようとする課題】
【０００６】
しかしながら、特許文献１に記載のプロジェクタでは、リモコンを用いてプロジェクタの操作を行う場合、使用者は投射される画像を見ながら操作する必要があるので、試行錯誤的な操作となり、操作が不便であるという問題がある。また、試行錯誤しつつ操作される画像が表示されてしまうため、適切でない画像が表示されてしまうという問題がある。例えば、プロジェクタに入力した画像情報に基づく全体画像の一部を拡大して表示している場合に、当該表示領域を移動しようとする際には、一度、表示画像の拡大を解除して全体画像とした後、新たに拡大領域を設定して表示する必要があり、操作が煩雑となるだけでなく、全体画像が表示されてしまうので、使用者にとって好ましくない。一方、表示画像の拡大を解除しない場合には、全体画像における表示領域を試行錯誤的に探すこととなり、操作が不便であるとともに、意図しない領域の画像が表示されてしまうため、この場合も使用者にとって好ましくない。
従って、より操作性のよいリモートコントローラが要望されてきた。
【０００７】
本発明の目的は、操作性を向上することができるリモートコントローラ、および、当該リモートコントローラと画像表示装置とを備えた画像表示システムを提供することである。
【課題を解決するための手段】
【０００８】
前記した目的を達するために、本発明のリモートコントローラは、入力する画像情報に応じて光学像を形成する画像表示装置との間で通信可能に接続され、操作者の入力操作により前記画像表示装置を遠隔操作するリモートコントローラであって、前記操作者の入力操作を検出する操作手段と、この操作手段による入力操作に基づいて、前記画像表示装置の操作制御を行う操作制御信号を生成する操作側制御手段と、この操作側制御手段で生成された操作制御信号を、前記画像表示装置に送信出力する操作側送信手段と、前記画像表示装置に入力する画像情報に基づく表示可能画像に係る全体画像の情報、および、前記画像表示装置で表示される表示画像に係る出力画像の情報のうち、少なくともいずれかの情報に基づく画像を表示する操作側表示手段とを備えたことを特徴とする。
【０００９】
ここで、全体画像、および、出力画像は、画像表示装置に入力する画像情報に基づく表示可能画像、および、画像表示装置で表示される表示画像と完全に一致する画像である必要はなく、所定の形式で画像情報量および画像サイズ等を増減させた画像であってもよい。例えば、フレームレートを増減させた画像でもよく、また、解像度を増減させた画像でもよい。さらに、表示領域を表す画像だけであってもよい。
【００１０】
本発明によれば、操作側表示手段に、画像表示装置に入力する画像情報に基づく表示可能画像に係る全体画像の情報、および、当該画像表示装置で表示される表示画像に係る出力画像の情報のうち、少なくともいずれかの情報に基づく画像が表示される。すなわち、操作側表示手段には、全体画像および出力画像の少なくともいずれかが表示される。これによれば、リモートコントローラの操作性を向上して、画像表示装置の操作を簡略化できる。
【００１１】
具体的には、操作側表示手段に、全体画像が表示される場合には、表示可能画像における出力画像以外の領域の画像を視認しながらリモートコントローラを操作することができるので、画像表示装置にいかなる画像情報が入力しているのかを確認しながら操作することができる。
また、操作側表示手段に、出力画像が表示される場合には、使用者は、画像表示装置で表示される表示画像に係る出力画像を、リモートコントローラの操作側表示手段で確認しながら、画像表示装置を遠隔操作することができる。
さらに、これら全体画像、および、出力画像が、操作側表示手段に表示される場合には、画像表示装置で表示する表示画像が、表示可能画像のどの領域にあるかを容易に確認することができる。
従って、使用者は、リモートコントローラの操作側表示手段に表示される全体画像、および／または、出力画像を確認しながら、リモートコントローラを操作して、画像表示装置を遠隔操作することができるので、リモートコントローラの操作性を向上することができるとともに、画像表示装置の操作を簡略化することができる。
【００１２】
本発明では、前記操作手段は、前記操作側表示手段上に設けられるタッチパネルを備え、前記操作側制御手段は、前記タッチパネルの入力操作に基づいて、操作制御信号を生成することが好ましい。
ここで、操作手段を構成するタッチパネルは、感圧式および静電容量式等のタッチパネルで構成することができる。
【００１３】
本発明によれば、操作手段が、操作側表示手段上に設けられるタッチパネルを備えて構成されるので、操作側表示手段に表示された画像を、直接操作するように入力操作を行うことで、画像表示装置を遠隔操作することができる。
すなわち、操作手段が、装置側表示手段に表示された画像に対する入力操作を検出することができ、操作側制御手段が、当該入力操作に基づいた操作制御信号を生成して、操作側送信手段を介して画像表示装置に、当該操作制御信号を送信することができる。これにより、リモートコントローラの操作性を一層向上することができる。
このような入力操作として、例えば、表示可能画像における表示画像の領域を変更する操作が挙げられる。このような場合、操作側表示手段に表示された画像に対して入力操作を行うようにして、画像表示装置で表示する表示画像の領域を直接指定するように操作することができ、操作側制御手段が当該拡大領域を指定する操作制御信号を送信することができる。従って、画像表示装置で表示する表示画像の領域を、簡単に変更することができる。
【００１４】
本発明では、前記操作側制御手段は、前記全体画像の情報に基づいて、前記操作側表示手段での全体画像の領域を表す全体画像領域情報を生成する全体画像領域情報生成部と、前記出力画像の情報に基づいて、前記操作側表示手段による出力画像の領域を表す表示画像領域情報を生成する表示画像領域情報生成部と、それぞれの画像領域情報生成部で生成された画像領域情報を、加算して重畳して、前記操作側表示手段に表示させる画像領域合成部とを備えていることが好ましい。
【００１５】
本発明によれば、全体画像における出力画像の位置、すなわち、画像表示装置に入力する画像情報に基づく表示可能画像における当該画像表示装置で表示する表示画像の位置を容易に確認することができる。
すなわち、全体画像領域情報生成部により、全体画像の領域を表す全体画像領域情報が生成され、出力画像領域情報生成部により、全体画像の領域における出力画像の領域を示す出力画像領域情報が生成され、これらの画像領域情報が、画像領域合成部により、加算・重畳されて、操作側表示手段に表示される。このため、操作側表示手段にて表示される画像は、全体画像の領域内に、出力画像の領域が示された画像とされ、この全体画像に対する出力画像の位置は、画像表示装置の表示可能画像における表示画像の位置に対応する。これによれば、画像表示装置が、当該画像表示装置に入力する画像情報に基づく表示可能画像のうち、どの領域を表示しているのかを容易に確認することができる。また、操作側表示手段に表示画像が表示される場合には、画像情報に基づく表示可能画像における表示画像以外の領域も表示されることとなるので、画像表示装置による表示を希望する画像領域を迅速に把握することができる。従って、リモコンの操作性を一層向上することができる。
【００１６】
また、本発明の画像表示システムは、入力する画像情報に応じて光学像を形成する画像表示装置と、この画像表示装置との間で通信可能に接続され、操作者の入力操作により前記画像表示装置を遠隔操作するリモートコントローラとを備えた画像表示システムであって、前記リモートコントローラは、前記操作者の入力操作を検出する操作手段と、この操作手段による入力操作に基づいて、前記画像表示装置の操作制御を行う操作制御信号を生成する操作側制御手段と、この操作側制御手段で生成された操作制御信号を前記画像表示装置に送信出力する操作側送信手段と、前記画像表示装置に入力する画像情報に基づく表示可能画像に係る全体画像、および、前記画像表示装置で表示される表示画像に係る出力画像のうち、少なくともいずれかを表示する操作側表示手段とを備え、前記画像表示装置は、前記操作側送信手段からの操作制御信号を受信する表示装置側受信手段と、入力する前記画像情報を処理するとともに、受信した操作制御信号に基づいて、当該画像表示装置全体の制御を行う表示装置側制御手段とを備えていることを特徴とする。
【００１７】
本発明によれば、前述のリモートコントローラと略同じ効果を奏することができる。
また、リモートコントローラに対する入力操作によって生成された操作制御信号に基づいて、画像表示装置の駆動が制御されることとなるので、リモートコントローラに対する入力操作に応じた操作を、画像表示装置で実現することができる。従って、画像表示装置の操作性を向上することができる。
【００１８】
本発明では、前記操作側制御手段は、前記全体画像の情報に基づいて、前記操作側表示手段での全体画像の領域を表す全体画像領域情報を生成する全体画像領域情報生成部と、前記出力画像の情報に基づいて、前記操作側表示手段での出力画像の領域を表す出力画像領域情報を生成する出力画像領域情報生成部と、それぞれの画像領域情報生成部で生成された画像領域情報を、加算して重畳して前記操作側表示手段に表示させる画像領域合成部とを備えていることが好ましい。
【００１９】
本発明によれば、前述のリモートコントローラの場合と同様に、操作側表示手段に表示される全体画像の領域における出力画像の領域の位置は、画像表示装置の表示可能画像の領域における表示画像の領域の位置とを対応させることができる。
すなわち、全体画像領域情報生成部により、操作側表示手段での全体画像の領域を示す全体画像領域情報が生成され、また、出力画像領域情報生成部により、操作側表示手段での出力画像の領域を示す出力画像領域情報が生成される。これら画像領域情報が、画像領域合成部で加算・重畳され、全体画像における出力画像の領域が示された画像が、装置側表示手段に表示される。これによれば、画像表示装置で表示する表示画像の位置が、表示可能画像のどの領域にあるのかを即座に確認することができる。従って、リモートコントローラの操作性を向上できる。
【００２０】
本発明では、前記画像領域合成部は、重畳された画像領域情報のうち、出力画像の領域内を明るく表示させることが好ましい。
本発明によれば、操作側表示手段に表示される全体画像のうち、出力画像の領域が明るく表示されるので、当該出力画像の領域を視認しやすくすることができる。従って、リモートコントローラの操作性を一層向上することができる。
【発明を実施するための最良の形態】
【００２１】
以下、本発明の一実施形態を図面に基づいて説明する。
（１）プロジェクタシステムの全体構成
図１は、本発明に係るプロジェクタシステム１を示す構成図である。
本実施形態のプロジェクタシステム１は、本発明の画像表示システムに相当し、画像表示装置としてのプロジェクタ本体２と、リモートコントローラ（以下、「リモコン」と略す場合がある）３とを備えて構成される。このうち、プロジェクタ本体２は、当該プロジェクタ本体２に接続される機器４から入力する画像情報に応じた光学像を形成し、当該光学像をスクリーン５に拡大投射するものである。また、リモコン３は、プロジェクタ本体２を遠隔操作するものであり、プロジェクタ本体２とは無線ＬＡＮ（Local Area Network）等による無線通信を行う。
なお、リモコン３の構成については、後に詳述する。
【００２２】
（２）プロジェクタ本体２の構成
図２は、プロジェクタ本体２の内部構成を示す模式図である。
プロジェクタ本体２は、光学像を形成する光学ユニット２１と、当該光学ユニット２１で形成された光学像を拡大投射する投射レンズ２２と、リモコン３と通信する通信部２３（図２では図示省略）と、プロジェクタ本体２の装置全体の駆動を制御する制御基板２４（図２では図示省略）と、機器４と接続されるインターフェース２５と、これらに電力を供給する電源ユニット２６と、これらを内部に収納する合成樹脂製の外装ケース２７とを備えて構成されている。
このうち、外装ケース２７は、全体略直方体状を有する合成樹脂製のケースとして構成され、複数の操作スイッチが配設された操作パネル２６１が設けられている。
また、電源ユニット２６は、外部電源から入力する交流電流を直流電流に変換し、当該直流電流を、プロジェクタ本体２を構成する各電子部品に応じた所定の電圧に変換して、当該電子部品に供給する。
【００２３】
（2-1）光学ユニット２１の構成
光学ユニット２１は、光源から射出された光束を、光学的に処理して画像情報に対応した光学像（カラー画像）を形成し、投射レンズ２２を介して、スクリーン５の投射面５１（図１参照）上に拡大投射するユニットである。この光学ユニット２１は、外装ケース２７の背面に沿って延出するとともに、外装ケース２７の側面に沿って延出する平面視略Ｌ字形状に構成されている。
このうち、投射レンズ２２は、詳しい図示を省略するが、鏡筒内部に複数のレンズが収納された組レンズとして構成されている。
【００２４】
光学ユニット２１は、図２に示すように、インテグレータ照明光学系２１１と、色分離光学系２１２と、リレー光学系２１３と、光学装置２１４と、これら光学部品２１１〜２１４を、照明光軸Ａ上の所定位置に配置する光学部品用筐体２１５とを備えている。
インテグレータ照明光学系２１１は、光学装置２１４を構成する後述する液晶パネル２１４１の画像形成領域を略均一に照明するための光学系である。このインテグレータ照明光学系２１１は、光源装置２１１１と、第１レンズアレイ２１１２と、第２レンズアレイ２１１３と、偏光変換素子２１１４と、重畳レンズ２１１５とを備える。
【００２５】
光源装置２１１１は、放射状の光線を射出する光源ランプ２１１６と、この光源ランプ２１１６から射出された放射光を反射するリフレクタ２１１７とを備えて構成されている。
このうち、光源ランプ２１１６は、本実施形態では、高圧水銀ランプを採用しているが、これに限らず、ハロゲンランプおよびメタルハライドランプ等を採用することができる。
また、リフレクタ２１１７は、本実施形態では、放物面鏡を採用しているが、これに限らず、楕円面鏡で構成し、光束射出側に該楕円面鏡により反射された光束を平行光とする平行化凹レンズを採用した構成としてもよい。
【００２６】
第１レンズアレイ２１１２は、光軸方向から見て略矩形状の輪郭を有する小レンズがマトリクス状に配列された構成を有している。これら各小レンズは、光源装置２１１１から射出される光束を、複数の部分光束に分割する。
第２レンズアレイ２１１３は、第１レンズアレイ２１１２と略同様な構成を有しており、小レンズがマトリクス状に配列された構成を有している。この第２レンズアレイ２１１３は、重畳レンズ２１１５とともに、第１レンズアレイ２１１２の各小レンズの像を光学装置２１４の後述する液晶パネル２１４１上に結像させる機能を有している。
【００２７】
偏光変換素子２１１４は、第２レンズアレイ２１１３と重畳レンズ２１１５との間に配置され、第２レンズアレイ２１１３から射出された光束を、略１種類の偏光光に変換するものである。
具体的に、偏光変換素子２１１４によって略１種類の直線偏光に変換された各部分光束は、重畳レンズ２１１５によって最終的に、光学装置２１４の後述する液晶パネル２１４１上にほぼ重畳される。ここで、直線偏光を変調するタイプの液晶パネルを用いたプロジェクタでは、１種類の偏光光しか利用できないため、ランダムな偏光光を発する光源装置２１１１から射出される光の略半分を利用できない。このため、本実施形態では、偏光変換素子２１１４を用いることで、光源装置２１１１からの射出光を略１種類の偏光光に変換し、光学装置２１４での光の利用効率を高めている。
【００２８】
色分離光学系２１２は、２枚のダイクロイックミラー２１２１，２１２２と、反射ミラー２１２３とを備えて構成され、当該ダイクロイックミラー２１２１，２１２２によって、インテグレータ照明光学系２１１から射出された複数の部分光束を、赤、緑、青の３色の色光に分離する機能を有している。
リレー光学系２１３は、入射側レンズ２１３１、リレーレンズ２１３３、および、反射ミラー２１３２，２１３４を備え、色分離光学系２１２で分離された赤色光を光学装置２１４の後述する赤色光側の液晶パネル２１４１（２１４１Ｒ）まで導く機能を有している。
【００２９】
ここで、色分離光学系２１２のダイクロイックミラー２１２１は、インテグレータ照明光学系２１１から射出された光束のうち、青色光成分を反射するとともに、赤色光成分と緑色光成分とを透過させる。ダイクロイックミラー２１２１で反射した青色光は、反射ミラー２１２３で反射した後、フィールドレンズ２１１８を通って、光学装置２１４の後述する青色光側の液晶パネル２１４１（２１４１Ｂ）に達する。このフィールドレンズ２１１８は、第２レンズアレイ２１１３から射出された各部分光側をその中心軸（主光線）に対して平行な光束に変換する。この他の緑色光用および赤色光用の液晶パネル２１４１（２１４１Ｇ，２１４１Ｒ）の光束入射側に設けられたフィールドレンズ２１１８も、同様の構成および機能である。
【００３０】
ダイクロイックミラー２１２１を透過した赤色光成分と緑色光成分のうち、緑色光成分は、ダイクロイックミラー２１２２で反射した後、フィールドレンズ２１１８を通って、光学装置２１４の後述する緑色光側の液晶パネル２１４１（２１４１Ｇ）に達する。
一方、赤色光成分は、ダイクロイックミラー２１２２を透過した後、前述のリレー光学系２１３を通り、さらにフィールドレンズ２１１８を通って光学装置２１４の後述する赤色光側の液晶パネル２１４１（２１４１Ｒ）に達する。
【００３１】
ここで、赤色光成分にリレー光学系２１３が用いられているのは、赤色光成分の光路の長さが、他の色光成分の光路長よりも長いため、光の発散等による光の利用効率の低下を防止するためである。すなわち、入射側レンズ２１３１に入射した部分光束をそのまま、フィールドレンズ２１１８に伝えるためである。
なお、本実施形態においては赤色光成分の光路長が長いので、赤色光成分の光路上にリレー光学系２１３は配置した構成としたが、青色光成分の光路長を長くする構成も考えられる。このような場合は、青色光成分の光路上にリレー光学系２１３を配置するようにすればよい。
【００３２】
光学装置２１４は、入射された光束を画像情報に応じて変調してカラー画像を形成する。この光学装置２１４は、色分離光学系２１２で分離された各色光が入射される３つの入射側偏光板２１４２と、この入射側偏光板２１４２の後段に配置される液晶パネル２１４１（２１４１Ｒ，２１４１Ｇ，２１４１Ｂ）および射出側偏光板２１４３と、色合成光学装置としてのクロスダイクロイックプリズム２１４４とを備える。
【００３３】
液晶パネル２１４１（２１４１Ｒ，２１４１Ｇ，２１４１Ｂ）は、本発明の光変調素子に相当する。この液晶パネル２１４１は、例えば、ポリシリコンＴＦＴをスイッチング素子として用いたものであり、対向配置される２つの透光性基板と、これら透光性基板により密閉封入される液晶材料から構成される液晶層とを備えて構成されている。そして、この液晶パネル２１４１は、入射側偏光板２１４２を介して入射する光束を画像情報に応じて変調して射出する。
【００３４】
入射側偏光板２１４２は、色分離光学系２１２で分離された各色光のうち、一定方向の偏光光のみ透過させ、その他の光束を吸収するものであり、サファイアガラス等の基板に偏光膜が貼付されたものである。
また、射出側偏光板２１４３も、入射側偏光板２１４２と略同様に構成され、液晶パネル２１４１から射出された光束のうち、所定方向の偏光光のみを透過させ、その他の光束を吸収するものであり、透過させる偏光光の偏光軸は、入射側偏光板２１４２における透過させる偏光光の偏光軸に対して直交するように設定されている。
【００３５】
クロスダイクロイックプリズム２１４４は、射出側偏光板２１４３から射出され、色光毎に変調された光学像を合成して、カラー画像を形成するものである。このクロスダイクロイックプリズム２１４４には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３６】
（2-2）通信部２３の構成
図３は、プロジェクタ本体２の内部構成を示すブロック図である。
プロジェクタ本体２は、前述のように、通信部２３および制御基板２４を備えている。
通信部２３は、リモコン３と無線通信を行い、当該リモコン３から送信される操作制御信号としての電波信号を受信して、制御基板２４に出力するとともに、制御基板２４から出力される制御信号および画像情報を、電波信号に変換してリモコン３に送信するプロジェクタ本体２の通信手段である。
この通信部２３は、図３に示すように、リモコン３からの電波信号を受信する表示装置側受信手段としての受信部２３１と、当該リモコン３に電波信号を送信する表示装置側送信手段としての送信部２３２と、受信した信号および送信する信号を変換する信号変換部２３３とを備えて構成されている。
このうち、信号変換部２３３は、受信部２３１で受信した電波信号を、制御基板２４で認識可能な操作制御信号に変換して、当該制御基板２４に出力する。また、信号変換部２３３は、制御基板２４で生成された制御信号および画像情報を、リモコン３が認識可能な電波信号に変換して送信部２３２に出力する。
【００３７】
（2-3）制御基板２４の構成
制御基板２４は、本発明の表示装置側制御手段に相当し、プロジェクタ本体２の装置全体の駆動制御を行う回路基板として構成される。この制御基板２４は、図３に示すように、通信部２３を介してリモコン３から入力する操作制御信号、および、操作パネル２６１から入力する操作制御信号に基づいて、プロジェクタ本体２を駆動制御する。
この制御基板２４は、ＣＰＵ（Central Processing Unit）等を備えて構成され、図３に示すように、プロジェクタ本体２の装置全体を制御する主制御部２４１と、ＲＯＭ（Read Only Memory）２４２と、ＲＡＭ（Random Access Memory）２４３と、主制御部２４１の制御下で光学像を形成する表示制御系２４４と、入力切替部２４５と、時分割処理部２４６と、ＦＭ（Frame Memory）２４７，２４８と、出力切替部２４９と、情報圧縮部２５０とを備えて構成されている。
【００３８】
このうち、ＲＯＭ２４２は、主制御部２４１によって処理される制御プログラムや各種制御データが格納されている。また、ＲＡＭ２４３は、主制御部２４１の作業メモリとして利用され、必要に応じて、ＲＯＭ２４２の制御データ等が一時的に書き込まれる。
【００３９】
また、入力切替部２４５は、主制御部２４１、インターフェース２５およびＦＭ２４７に接続され、主制御部２４１からの制御信号に基づいて、インターフェース２５に接続された接続機器４（４Ａ，４Ｂ，４Ｃ，４Ｄ）から入力する画像情報のうち、表示画像を形成する画像情報を選択して、ＦＭ２３７に出力する。
時分割処理部２４６は、主制御部２４１、インターフェース２５およびＦＭ２４８に接続され、主制御部２４１からの制御信号に基づいて、インターフェース２５に接続されたそれぞれの接続機器４（４Ａ，４Ｂ，４Ｃ，４Ｄ）から入力する画像情報を、接続機器４Ａ，４Ｂ，４Ｃ，４Ｄの順に、所定の時間ごとにＦＭ２４８に出力する。この時間は、適宜設定してよく、液晶パネル２１４１で形成する１フレームに相当する時間としてもよく、また、接続機器４の数で１秒を割った時間としてもよい。
ＦＭ２４７，２４８は、それぞれ入力切替部２４５および時分割処理部２４６と接続され、入力切替部２４５および時分割処理部２４６から入力する画像情報のうち、１フレーム分の画像情報を一時的に保持し、表示制御系２４４に出力する。
【００４０】
主制御部２４１は、ＣＰＵ等で構成され、通信部２３の信号変換部２３３および操作パネル２６１から入力する操作制御信号に基づいて、プロジェクタ本体２を構成する各電子部品に制御信号を出力して、当該プロジェクタ本体２の駆動を制御する。
また、主制御部２４１は、操作パネル２６１の操作によって、プロジェクタ本体２の駆動設定が変更された場合には、通信部２３を介してリモコン３に制御信号および表示画像の情報を出力し、プロジェクタ本体２およびリモコン３の設定状態を同期させる。例えば、操作パネル２６１に対して、画像情報に基づく表示可能な画像のうち、表示する領域を変更する操作が行われた場合には、表示画像領域の変更が行われた旨の制御信号と、変更された表示画像の情報を、通信部２３を介してリモコン３に送信する。
【００４１】
このような主制御部２４１は、例えば、以下のような制御を行う。
主制御部２４１に、表示画像の明るさを向上する制御信号が入力した場合、表示画像を形成する表示制御系２４４に制御信号を出力して、明るさを上昇させる。
また、接続機器４（４Ａ，４Ｂ，４Ｃ，４Ｄ）からインターフェース２５を介して入力し、表示画像形成の情報源となる画像情報を切り替える制御信号が入力した場合には、入力切替部２４５に制御信号を出力し、ＦＭ２４７を介して表示制御系２４４に入力する画像情報を切り替える。
【００４２】
さらに、各接続機器４からの画像情報に応じた画像を分割して表示する分割画像要求信号が入力した場合には、表示制御系２４４および時分割処理部２４６に制御信号を出力し、時分割処理部２４６により時分割処理した画像情報を、ＦＭ２４８を介して表示制御系２４４に出力させ、当該表示制御系２４４により、１つの画像中に複数の画像情報に応じた表示可能画像が含まれる分割画像を形成させる。
また、分割画像要求信号が通信部２３を介してリモコン３から入力した場合には、主制御部２４１は、出力切替部２４９に対して、分割画像の情報をリモコン３に送信出力させる制御信号を出力し、形成した分割画像の画像情報を、情報圧縮部２５０および通信部２３を介してリモコン３に送信させる。一方、操作パネル２６１から分割画像要求信号が入力した場合には、主制御部２４１は、出力切替部２４９に対して、分割画像の画像情報を液晶パネル２１４１に出力する制御信号を出力し、形成した分割画像の画像情報を、液晶パネル２１４１に出力させる。
【００４３】
加えて、プロジェクタ本体２の駆動設定を変更するメニュー画像の形成信号が入力した場合には、主制御部２４１は、表示制御系２４４に制御信号を出力して、当該表示制御系２４４によりメニュー画像を形成させる。
また、分割画像の場合と同様に、当該メニュー形成信号がリモコン３から入力した場合には、主制御部２４１は、出力切替部２４９に対して、形成したメニュー画像をリモコン３に送信出力させる制御信号を出力して、形成したメニュー画像の画像情報を、情報圧縮部２５０および通信部２３を介してリモコン３に送信させる。一方、操作パネル２６１から表示要求信号が入力した場合には、主制御部２４１は、出力切替部２４９に対して、メニュー画像を液晶パネル２１４１に出力する制御信号を出力し、形成したメニュー画像の画像情報を液晶パネル２１４１に出力させる。
【００４４】
表示制御系２４４は、主制御部２４１の制御下で、ＦＭ２４７に入力した画像情報に基づいて液晶パネル２１４１を駆動して、表示画像を形成するとともに、リモコン３に送信する画像を形成して、当該画像の情報を通信部２３に出力するものである。
この表示制御系２４４は、表示制御部２４４１、表示画像形成部２４４２、表示可能画像形成部２４４３、分割画像形成部２４４４、メニュー画像形成部２４４５およびＲＯＭ２４４６を備えて構成されている。
なお、この表示制御系２４４は、本実施形態では、主制御部２４１とは別のＣＰＵにより構成されているが、主制御部２４１および表示制御系２４４の機能を実現する１つのＣＰＵで構成してもよい。
【００４５】
表示制御部２４４１は、主制御部２４１から入力する制御信号に基づいて、表示制御系２４４を構成する各機能部２４４２〜２４４５に制御信号を出力し、これら機能部２４４２〜２４４５を適宜動作させ、画像形成を行うものである。すなわち、プロジェクタ本体２における画像形成は、表示制御部２４４１によって制御される。
【００４６】
表示画像形成部２４４２は、ＦＭ２４７から入力する画像情報に応じた表示画像を形成するものである。この表示画像の情報は、前述の光学ユニット２１の液晶パネル２１４１に出力されるとともに、情報圧縮部２５０に出力され、出力画像としてリモコン３に送信される。
この表示画像形成部２４４２は、主制御部２４１から表示制御部２４４１を介して、表示可能画像における領域を示す座標情報が入力した場合は、当該座標情報に対応する領域の画像を、表示画像として形成し、当該表示画像の情報を液晶パネル２１４１に出力する。また、当該座標情報と表示画像の画像情報とを情報圧縮部２５０に出力する。
【００４７】
表示可能画像形成部２４４３は、接続機器４からＦＭ２４７を介して入力する画像情報に基づくプロジェクタ本体２で表示可能な画像を形成し、形成した表示可能画像の画像情報を情報圧縮部２５０に出力する。この表示可能画像形成部２４４３で形成される表示可能画像は、接続機器４から入力する画像情報に基づく画像となり、所定の領域の指定およびアスペクト比の変更等が行われていない画像である。
【００４８】
分割画像形成部２４４４は、ＦＭ２４８から入力する画像情報に応じた分割画像を形成し、形成した分割画像の画像情報を出力切替部２４９に出力する。この分割画像形成部２４４４で形成される分割画像は、１つの画像中に、各接続機器４（４Ａ，４Ｂ，４Ｃ，４Ｄ）からインターフェース２５および時分割処理部２４６を介して時分割処理されて入力する各画像情報に基づく表示可能画像を、接続機器４Ａ，４Ｂ，４Ｃ，４Ｄの順に、所定時間ごとに、画像形成位置を変更して表示する画像である。この所定時間は、時分割処理部２４６における時間と同期が取られている。また、１つの画像中に、複数の表示可能画像が含まれることとなるので、１つの表示可能画像は、縮小されて形成されることとなる。
【００４９】
メニュー画像形成部２４４５は、メニュー画像を形成して、形成したメニュー画像を出力切替部２４９に出力する。このメニュー画像の画像情報は、ＲＯＭ２４４６に格納されており、当該メニュー画像の画像情報は、メニュー画像形成部２４４５により適宜読み取られる。また、このメニュー画像の画像情報は、当該メニュー画像にて設定する項目ごとに、ＲＯＭ２４４６に複数格納されている。
【００５０】
出力切替部２４９は、主制御部２４１の制御信号に応じて、表示制御系２４４の分割画像形成部２４４４およびメニュー画像形成部２４４５で形成された画像の画像情報を、液晶パネル２１４１および／または情報圧縮部２５０に出力する。
情報圧縮部２５０は、通信部２３を介してリモコン３に送信する画像情報を、当該リモコン３との通信が可能なレベルまで圧縮する。
ここで、プロジェクタ本体２とリモコン３とを無線で通信する場合には、接続機器４からプロジェクタ本体２に入力する画像情報と情報量の略一致した画像を形成し、当該画像の画像情報を、通信部２３を介してリモコン３に送信しようとしても、通信速度等の関係から、スクリーン５上に表示される表示画像と同じ程度の画像情報を送信できない場合がある。このような場合に、情報圧縮部２５０により、画像情報の圧縮を行い、情報量を低減してリモコン３に送信することにより、スクリーン５上の表示画像と略同期した画像をリモコン３に送信することが可能となる
【００５１】
具体的に、情報圧縮部２５０は、当該情報圧縮部２５０に入力する画像情報に係る画像の解像度を低下して、情報量の圧縮を図る。
また、情報圧縮部２５０は、入力する１フレームごとの画像情報を、所定のタイミングで選択して通信部２３に送信する。このタイミングは、通信部２３を介して行われるリモコン３との通信の速度によって適宜設定できる。
このように情報圧縮部２５０により、表示可能画像形成部２４４３から入力する表示可能画像の画像情報が圧縮されて、当該表示可能画像に係る、情報サイズの小さい全体画像の画像情報が生成され、通信部２３を介して、リモコン３に送信される。また、表示画像形成部２４４２から入力した表示画像の画像情報も同様に、情報圧縮部２５０により圧縮されて、リモコン３に送信出力する出力画像の画像情報が生成される。また、分割画像についても情報圧縮部２５０による圧縮がなされ、当該圧縮された分割画像が、リモコン３に送信出力される。
なお、後述するリモコン３の表示部３１に全体画像を表示する場合は、出力画像の画像情報を生成せずに、座標情報のみを通信部２３を介してリモコン３に送信出力するようにしてもよい。
【００５２】
このような情報圧縮部２５０により、リモコン３に送信出力する画像情報のサイズを小さくすることができ、リモコン３との通信を良好にできるとともに、リモコン３の負荷の少ない画像表示を可能とすることができる。
なお、リモコン３に対して、プロジェクタ本体２で形成する画像のフレームレートと同じ速度で、１フレーム分の画像情報の送信が可能であるならば、このような圧縮は行わずに、表示可能画像形成部２４４３、出力切替部２４９から入力する画像情報を、そのまま通信部２３に送信するようにしてもよい。
【００５３】
（３）リモコン３の構成
図４は、リモコン３を示す概要斜視図である。
リモコン３は、前述のように、プロジェクタ本体２と通信して、当該プロジェクタ本体２を遠隔操作するものである。
このリモコン３は、図４に示すように、表示部３１と、操作手段としてのタッチパネル３２と、プロジェクタ本体２と無線通信する通信部３３（図１２参照）と、これらを含むリモコン３全体を駆動制御する制御基板３４（図１２参照）と、これらを収納する外装ケース３５とを備えて構成されている。
このリモコン３では、表示部３１に表示されるソフトキーおよび画像を、タッチペン３６および使用者の指等で入力操作することにより、当該入力操作を表示部３１上に設けられたタッチパネル３２が認識して、入力操作に応じた操作制御信号を制御基板３４が生成し、当該操作制御信号を、通信部３３を介してプロジェクタ本体２に送信出力するように構成されている。
なお、制御基板３４の構成は、後に詳述する。
【００５４】
このうち、表示部３１は、本発明の操作側表示手段に相当し、液晶パネルを備えて構成され、制御基板３４の制御下で、ソフトキー、プロジェクタ本体２から受信した画像情報に応じた画像等を表示する。
タッチパネル３２は、静電容量式のタッチパネルで構成され、表示部３１上に配置されている。このタッチパネル３２は、透光性導電膜等を備えて構成され、タッチペン３６等の接触による表面電荷の変化を捕らえて接触位置を検出し、当該接触位置の座標を制御基板３４に出力する。
なお、本実施形態では、静電容量式のタッチパネル３２を採用したが、感圧式、超音波表面弾性波方式、赤外線遮光方式および電磁誘導方式のいずれかのタッチパネルで構成してもよい。
このように、リモコン３がタッチパネル３２を備えて構成されていることにより、表示部に表示される画像等を直接操作するように入力操作を行うことができる。従って、リモコン３への入力操作を簡略化することができる。
【００５５】
（3-1）画面の構成
図５は、リモコン３の表示部３１に表示される基本画面を示す図である。
リモコン３の表示部３１には、通常状態では、図５に示す基本画面が表示される。この基本画面では、プロジェクタ本体２から受信した画像情報に応じた画像が表示される画像表示領域３１１と、この画像表示領域３１１の左側に配置されるキー表示領域３１２と、右側に配置されるキー表示領域３１３とが設けられている。
【００５６】
画像表示領域３１１には、接続機器４からプロジェクタ本体２に入力する画像情報に基づく表示可能画像に係る全体画像、すなわち、プロジェクタ本体２から受信した画像情報に基づく全体画像と、プロジェクタ本体２で投射する表示画像に係る出力画像、すなわち、プロジェクタ本体２から受信した画像情報に基づく出力画像が、重畳されて表示される。すなわち、全体画像における出力画像の位置が視認できるように、出力画像の領域内が、出力画像の領域外より明るくなるように表示される。また、プロジェクタ本体２から受信したメニュー画像を表示する。
この表示部の画像表示領域３１１には、プロジェクタ本体２からリモコン３への通信が可能でない場合には、全体画像の領域、および、当該全体画像における出力画像の領域を示す枠を表示する。
【００５７】
キー表示領域３１２には、「ＭＥＮＵ」と表示されるメニューキー３１２Ａ、「ズーム」と表示されるズームキー３１２Ｂ、「アスペクト変換」と表示されるアスペクト変換キー３１２Ｃ、「入力切替」と表示される入力情報切替キー３１２Ｄ、および、「←」と表示される左方移動キー３１２Ｅとが配設されている。
また、キー表示領域３１３には、「通信状態」と表示された通信状態表示領域３１３Ａと、「文字入力」と表示された文字入力キー３１３Ｂと、「↑」、「↓」および「→」と表示された上方移動キー３１３Ｃ、下方移動キー３１３Ｄおよび右方移動キー３１３Ｅとが配設されている。
【００５８】
このうち、通信状態表示領域３１３Ａは、プロジェクタ本体２とリモコン３との通信状態を、色により表す領域である。具体的には、この領域３１３Ａが青色で表示されている場合には、通信状態が最も良い場合であり、黄色、赤色および灰色の順で通信状態が悪いことを示す。また、通信状態表示領域３１３Ａで表示される色が、青色、黄色、赤色の場合は、プロジェクタ本体２とリモコン３との双方向通信が可能であり、灰色の場合は、プロジェクタ本体２との双方向通信が不可能な状態にあることを示している。
【００５９】
図６は、表示部３１に表示されるメニュー画像を示す図である。
キー表示領域３１２のメニューキー３１２Ａが入力されると、画像表示領域３１１には、図６に示すように、メニュー画像が表示される。このメニュー画像は、当該メニュー画像に対して入力操作を行うことにより、プロジェクタ本体２の設定を行うものであり、プロジェクタ本体から受信した画像情報に基づく画像である。
このメニュー画像には、「映像」と表示された映像設定キー、「音声」と表示された音声設定キー、「設定」と表示された詳細設定キー、「情報」と表示された固有情報設定キー、および、「初期化」と表示された初期化キーが配設され、プロジェクタ本体２の設定を行うことができる。なお、メニュー画像が表示された状態で、移動キー３１２Ｅを入力すれば、前述の基本画面に戻る。
【００６０】
例えば、メニュー画像中に表示される映像設定キーを入力した場合では、図６に示すように、表示画像の明るさ、コントラスト、シャープネスおよびカラーモードの設定を実行することができる。また、図示を省略したが、音声設定キーを入力した場合では、プロジェクタ本体２に設けられたスピーカの音量やトーンの調整等の設定を行うことができる。詳細設定キーを入力した場合では、カラー調整や省電力機能の設定等を行うことができる。情報キーを入力した場合では、ランプ点灯時間等が表示され、初期化キーを入力した場合では、設定可能な全項目の設定を初期化することができる。
【００６１】
図７（Ａ）は、電子ズーム時に画像表示領域３１１に表示される画像を示す図である。また、図７（Ｂ）は、電子ズームが実行された際に、プロジェクタ本体２によってスクリーン５上に投射表示される画像を示す図である。
ズームキー３１２Ｂを入力すると、電子ズーム機能が有効となる。
ここで、電子ズーム機能は、プロジェクタ本体２に入力する画像情報に基づく表示可能画像のうち、所定の領域を拡大してスクリーン５上に表示する機能である。
この電子ズーム機能が有効になると、図７（Ａ）に示すように、画像表示領域３１１に、プロジェクタ本体２から受信した表示可能画像に係る全体画像が表示される。そして、表示された全体画像の領域３１１Ａ内の２点を選択すると、これら２点を対角線とする出力画像の領域３１１Ｂが設定され、この座標情報が、プロジェクタ本体２に送信される。この座標情報を受信したプロジェクタ本体２の表示画像形成部２４４２は、表示可能画像における当該座標情報に応じた領域を拡大した表示画像を形成する。この後、プロジェクタ本体２は、当該画像を、図７（Ｂ）のように、スクリーン５の投射面５１上に表示する。
【００６２】
また、画像表示領域３１１に表示される出力画像の領域３１１Ｂは、タッチペン３６および移動キー３１２Ｅ，３１３Ｃ〜３１３Ｅ等の操作により、全体画像の領域３１１Ａ上で移動することができる。この場合、移動した出力画像の領域３１１Ｂの座標を、タッチパネル３２が認識して、当該座標情報を、リモコン３からプロジェクタ本体２に送信する。そして、プロジェクタ本体２では、送信された座標情報に基づいて、表示可能画像における表示画像の領域を変更し、当該領域を拡大して表示する。
【００６３】
図８（Ａ）は、アスペクト変換時に画像表示領域３１１に表示される画像を示す図である。また、図８（Ｂ）は、アスペクト変換が実行された際に、プロジェクタ本体２によってスクリーン５上に表示される画像を示す図である。
アスペクト変換キー３１２Ｃを入力すると、アスペクト変換機能が有効となる。
ここで、アスペクト変換機能は、アスペクト比４：３で形成された画像のうち、アスペクト比１６：９の所定の領域を表示する機能である。この機能では、アスペクト比１６：９で形成された画像から、アスペクト比４：３の領域の画像を抜き出して表示することも可能である。
【００６４】
このアスペクト変換機能が有効になると、図８（Ａ）に示すように、画像表示領域３１１に表示された全体画像の領域３１１Ａ上に、出力画像の領域３１１Ｂが表示される。この全体画像の領域３１１Ａは、図８（Ａ）では、アスペクト比４：３で形成された画像となっており、画像表示領域３１１において、若干小さく表示されている。この全体画像の領域３１１Ａ上には、図８（Ａ）では、アスペクト比１６：９の出力画像領域３１１Ｂが表示される。
このアスペクト比１６：９で形成された表示画像の領域３１１Ｂを、前述の電子ズーム機能と同様に、タッチペン３６および移動キー３１２Ｅ，３１３Ｃ〜３１３Ｅ等の入力により、移動することで、プロジェクタ本体２で形成表示するアスペクト比１６：９の表示画像の領域が指定される。この領域の座標情報が、リモコン３からプロジェクタ本体２に送信され、プロジェクタ本体２は、図８（Ｂ）に示すように、表示可能画像のうち、当該座標情報に対応する領域の表示画像を形成して、スクリーン５上に表示する。
【００６５】
図９（Ａ）は、入力切替時の画像表示領域３１１に表示される画像を示す図である。また、図９（Ｂ）は、入力切替が実行された場合に、プロジェクタ本体２によってスクリーン５上に表示される画像を示す図である。なお、図９（Ａ）は、「入力画像情報３」の画像情報を出力する接続機器が選択された場合の画像を示しており、図９（Ｂ）は、図９（Ａ）で選択された接続機器からの画像情報に基づく画像に切り替えられた場合のプロジェクタ本体２の投射画像である。
入力情報切替キー３１２Ｄを入力すると、入力情報切替機能が有効となる。
ここで、入力切替機能は、プロジェクタ本体２に接続された接続機器４（４Ａ，４Ｂ，４Ｃ，４Ｄ）から入力する入力画像情報を切り替える機能である。
【００６６】
この入力切替機能が有効になると、画像表示領域３１１には、図９（Ａ）に示すように、プロジェクタ本体２に接続された各接続機器４の画像情報に基づく表示可能画像に係る画像、すなわち、全体画像を含む画像が表示される。この画像は、前述の分割画像を圧縮した画像に相当する。この画像に含まれる全体画像のうち、いずれかの全体画像が選択されると、当該選択された全体画像の位置を表す座標情報が、リモコン３からプロジェクタ本体２に送信される。この座標情報を受信したプロジェクタ本体２は、制御基板２４を構成する主制御部２４１により、当該座標情報が、どの接続機器４からの入力画像情報に基づく画像なのかを解析して、入力切替部２４５に制御信号を出力し、画像情報を切り替えて表示画像を形成し、当該表示画像を、図９（Ｂ）に示すように、スクリーン５上に表示させる。
なお、入力切替時では、画像表示領域３１１に表示される全体画像のうち、選択されている全体画像が、選択されていない全体画像より明るくなるように表示される。
【００６７】
図１０（Ａ）は、文字入力時の画像表示領域３１１に表示される画像を示す図である。また、図１０（Ｂ）は、文字入力が実行された際に、プロジェクタ本体２によってスクリーン５上に表示される画像を示す図である。なお、図１０（Ａ）には、全体画像の領域３１１Ａと出力画像の領域３１１Ｂとが一致した画像が示され、また、図１０（Ａ）および図１０（Ｂ）には、文字として「あいうえお」を入力した画像が示されている。
文字入力キー３１３Ｂを入力すると、文字入力機能が有効となる。
ここで、文字入力機能は、表示画像の任意の箇所に、所望の文字を入力表示する機能である。
【００６８】
この文字入力機能が有効になると、図１０（Ａ）に示すように、画像表示領域３１１の出力画像の領域３１１Ｂ内の所望の位置に、タッチペン３６で文字等を入力することができる。この入力位置は、操作部３２により検出され、通信部３３を介して座標情報としてプロジェクタ本体２に送信される。この座標情報が入力したプロジェクタ本体２の主制御部２４１は、表示制御系２４４の表示制御部２４４１に座標情報を出力する。表示制御部２４４１は、表示画像形成部２４４２に座標情報を出力して、表示画像と、座標情報に対応する表示画像上の座標を線で結んだ画像とを形成し、図１０（Ｂ）に示すように、これらを重ね合わせた画像をスクリーン５上に表示する。
【００６９】
（3-2）通信部３３の構成
図１１は、リモコン３の内部構成を示すブロック図である。
リモコン３は、前述のように、通信部３３および制御基板３４を備えて構成され、通信部３３を介してプロジェクタ本体２から受信する画像情報および制御信号を、制御基板３４が処理する。このうち、画像情報は、制御基板３４で処理されて当該画像情報に基づく画像が形成され、表示部３１の画像表示領域３１１に表示される。また、タッチパネル３２が、当該タッチパネル３２に対する入力操作を検出して、制御基板３４に入力位置を示す座標情報を出力する。この座標情報が、画像表示領域３１１内の座標であれば、当該座標情報を、通信部３３を介して、プロジェクタ本体２に送信し、キー表示領域３１２，３１３であれば、入力されたキーの種別を表す制御信号を、通信部３３を介して、プロジェクタ本体２に送信する。
【００７０】
通信部３３は、前述のプロジェクタ本体２の通信部２３と略同じ構成を備え、図１１に示すように、受信部３３１、送信部３３２および信号変換部３３３とを備えて構成されている。
このうち、受信部３３１は、プロジェクタ本体２から送信される画像情報および制御信号等の電波信号を受信して、信号変換部３３３に出力する。すなわち、受信部３３１は、本発明の操作側受信手段に相当する。
送信部３３２は、信号変換部３３３から入力し、プロジェクタ本体２への制御信号を、電波信号として、当該プロジェクタ本体２に送信する。すなわち、送信部３３２は、本発明の操作側送信手段に相当する。
信号変換部３３３は、制御基板３４と電気的に接続され、受信部３３１を介して入力した信号を、制御基板３４で処理できる制御信号および画像情報等に信号変換するとともに、制御基板３４から出力された制御信号を、プロジェクタ本体２に送信可能な信号形式に変換して、送信部３３２に出力する。
【００７１】
（3-3）制御基板３４の構成
制御基板３４は、本発明の操作側制御手段に相当し、リモコン３の装置全体を制御するＣＰＵ等を備えた回路基板として構成される。
制御基板３４は、図１１に示すように主制御系３４１と、ＲＯＭ３４２と、ＲＡＭ３４３と、表示制御系３４４と、メモリ３４５とを備えて構成されている。
このうち、ＲＯＭ３４２は、主制御系３４１で処理される制御プログラムおよび各種制御データ等が格納されており、ＲＡＭ３４３は、主制御系３４１の作業メモリであり、ＲＯＭ３４２に格納されたデータが一時的に記憶される。
また、メモリ３４５は、信号変換部３３３と、表示制御系３４４に接続され、当該信号変換部３３３から入力する画像情報や制御信号を一時的に保持して、表示制御系３４４に出力するバッファである。
【００７２】
主制御系３４１は、ＣＰＵを備えて構成され、主制御部３４１１および信号生成部３４１２に機能的に分類される。
このうち、主制御部３４１１は、リモコン３を構成する各電子部品に制御信号を出力して、リモコン３全体の駆動制御を行う。また、主制御部３４１１は、タッチパネル３２と電気的に接続され、タッチパネル３２に対する入力操作に応じた信号が入力すると、この信号と、操作制御信号生成信号を信号生成部に出力して、プロジェクタ本体２に送信する操作制御信号を信号生成部３４１２に生成させる。
信号生成部３４１２は、主制御部３４１１から制御信号が入力すると、主制御部３４１１を介して入力するタッチパネル３２からの信号に基づいて、プロジェクタ本体２に送信する操作制御信号を生成して、通信部３３を介してプロジェクタ本体２に送信出力する。
【００７３】
表示制御系３４４は、主制御部３４１１からの制御信号に応じて、通信部３３およびメモリ３４５を介してプロジェクタ本体２から入力する画像情報に基づく画像を、表示部３１上に表示する。また、基本画面のキー表示領域３１２，３１３に表示するソフトキーを表示する。
この表示制御系３４４は、主制御系３４１とは別のＣＰＵを備え、表示制御部３４４１、全体画像領域情報生成部３４４２、出力画像領域情報生成部３３４３および画像領域合成部３４４４に、機能的に分類される。
【００７４】
表示制御部３４４１は、本発明の操作側表示制御部に相当し、主制御系３４１の主制御部３４１１からの制御信号が入力すると、表示制御系３４４を構成する各機能部３４４２〜３４４４に表示制御信号を出力して、表示部３１に画像を形成させる。
【００７５】
全体画像領域情報生成部３４４２は、プロジェクタ本体２から受信され、メモリ３４５を介して入力する全体画像またはメニュー画像の画像情報に応じて、当該画像の領域をあらわす全体画像領域情報を生成する。この全体画像領域情報には、プロジェクタ本体２から受信した全体画像、メニュー画像または分割画像の画像情報が含まれる。そして、この全体画像領域情報は、画像領域合成部３４４４に出力される。
【００７６】
出力画像領域情報生成部３４４３は、プロジェクタ本体２から受信され、メモリ３４５を介して入力する出力画像の画像情報に応じて、全体画像における出力画像の領域および分割画像における選択領域を示す出力画像領域情報を生成する。そして、この出力画像領域情報は、画像領域合成部３４４４に出力される。
なお、出力画像領域情報生成部３４４３における処理は、プロジェクタ本体２からメニュー画像の画像情報が入力した場合は、処理を行う必要がないため、表示制御部３４４１により処理が規制される。
【００７７】
画像領域合成部３４４４は、全体画像領域情報生成部３４４２および出力画像領域情報生成部３４４３で生成された全体画像領域情報および出力画像領域情報を加算して、全体画像および出力画像が重畳された画像を、表示部３１に表示させる。
すなわち、表示部３１で表示される画像は、全体画像が表示される領域内に出力画像の領域が視認される画像とされる。また、この画像領域合成部３４４４での処理では、出力画像の領域内を、他の領域より明るくするように、画像が形成される。
また、分割画像の画像情報が入力した場合も、同様に分割画像として入力する全体画像領域情報と、選択領域を表す出力画像領域情報とを加算して、分割画像が表示される領域内に選択領域が視認される画像が、表示部３１に表示される。この場合も、分割画像における選択領域は、当該選択領域以外よりも明るく表示される。
これにより、出力画像領域および選択領域の視認性を向上することができる。
なお、全体画像領域情報生成部３４４２から、メニュー画像の画像情報が入力した場合は、当該メニュー画像を表示する。
【００７８】
（４）画像表示時の通信処理
以下に、プロジェクタ本体２とリモコン３との画像表示時の処理を説明する。
図１２および図１３は、プロジェクタ本体２とリモコン３とで実行される通信処理の処理フローを示す図である。これら図１２および図１３に示される処理は、連続して行われるものとする。
図１２に示すように、リモコン３の表示部３１に、プロジェクタ本体２で生成した画像を表示する際には、リモコン３のキー表示領域３１２，３１３の各キーを入力して、当該リモコン３からプロジェクタ本体２に画像要求信号を送信し（処理ＳＲ１１）、プロジェクタ本体２からの画像情報を監視する（処理ＳＲ１２）。
【００７９】
ここで、プロジェクタ本体２の通信部２３および制御基板２４の主制御部２４１は、電源がＯＮされている状態では、常にリモコン３からの操作制御信号の受信を監視しており（処理ＳＰ１１）、当該操作制御信号を受信したか否かを判定している（処理ＳＰ１２）。
この処理ＳＰ１１の判定により、操作制御信号を受信していないと判定された場合には、処理ＳＰ１１に戻り、プロジェクタ本体２の通信部２３および主制御部２４１は、操作制御信号の入力監視を続行する。
【００８０】
一方、リモコン３からの操作制御信号を受信したと判定された場合には、主制御部２４１は、当該操作制御信号が、画像要求信号であるかを判定する（処理ＳＰ１３）。
この処理ＳＰ１３の判定処理により、受信した操作制御信号が、画像要求信号ではないと判定された場合には、プロジェクタ本体２の処理を促す信号ではないとして、再び処理ＳＰ１１に戻って、信号の受信監視を行う。
一方、受信した操作制御信号が、画像要求信号である場合には、主制御部２４１は、表示制御系２４４の表示制御部２４４１に制御信号を出力して、リモコン３に送信する画像情報を生成する（処理ＳＰ１４）。
【００８１】
ここで、メニュー画像を要求する画像要求信号であった場合には、表示制御部２４４１は、メニュー画像形成部２４４５に制御信号を出力する。そして、当該制御信号が入力したメニュー画像形成部２４４５は、ＲＯＭ２４４６に記憶されたメニュー画像データに基づいてメニュー画像を形成し、当該メニュー画像の画像情報を出力切替部２４９に出力する。
ここで、主制御部２４１は、メニュー画像要求信号を送信したのが、操作パネル２６１ではなく、リモコン３であるので、当該主制御部２４１は、出力切替部２４９に、メニュー画像をリモコン３に出力する制御信号を出力する。この制御信号が入力した出力切替部２４９は、液晶パネル２１４１ではなく、情報圧縮部２５０にメニュー画像の画像情報を出力する。
画像情報が入力の情報圧縮部２５０では、前述のように、入力する画像情報の圧縮が行われ、情報サイズが小さくなる。これにより、リモコン３に送信可能なメニュー画像の画像情報が生成される。
【００８２】
また、全体画像および出力画像の要求信号であった場合には、表示制御部２４４１は、表示画像形成部２４４２および表示可能画像形成部２４４３に表示画像および表示可能画像の生成を指示する制御信号を出力する。
表示画像形成部２４４２では、ＦＭ２４７を介して入力する画像情報のうち、所定の領域の画像を形成し、当該画像の画像情報を、液晶パネル２１４１および情報圧縮部２５０に出力する。なお、ここで所定の領域としたのは、電子ズーム機能およびアスペクト変換機能が有効になっている場合を想定したものであり、これらの機能が有効になっていない場合は、ＦＭ２４７を介して入力する画像情報に応じた画像を形成する。
また、表示可能画像形成部２４４３は、ＦＭ２４７を介して入力する画像情報に基づく表示可能画像を形成して、当該表示可能画像の画像情報を、情報圧縮部２５０に出力する。
これら表示画像の画像情報および表示可能画像の画像情報が入力した情報圧縮部２５０では、前述のような情報の圧縮が行われ、これにより、表示画像に対応する出力画像の画像情報、および、表示可能画像に対応する全体画像の画像情報が生成される。
【００８３】
さらに、分割画像の要求信号であった場合には、主制御部２４１から時分割処理部２４６に対して時分割処理実行信号が出力され、当該時分割処理部２４６により処理された画像情報がＦＭ２４６を介して、分割画像形成部２４４４に出力される。この分割画像形成部２４４４は、表示制御部２４４１から制御信号が入力すると、分割画像を形成し、当該分割画像の画像情報を出力切替部２４９に出力する。また、現在選択されている接続機器４からの画像情報に基づく表示可能画像が表示された領域を示す表示画像を生成し、当該表示画像の画像情報を出力切替部２４９に出力する。
この出力切替部２４９には、前述のメニュー画像生成の場合と同様に、主制御部２４１から、画像情報をリモコン３に送信する制御信号が出力されているので、当該出力切替部２４９に入力した画像情報は、情報圧縮部２５０にて圧縮され、リモコン３に送信可能な分割画像の画像情報が生成される。
【００８４】
このようにして生成された各画像の画像情報は、プロジェクタ本体２から、リモコン３に対して、通信部２３を介して送信され（処理ＳＰ１５）、この後、プロジェクタ本体２は、新たな信号の受信を待機する（処理ＳＰ１６）。
【００８５】
処理ＳＲ１２により、プロジェクタ本体２からの画像情報に受信監視状態にあったリモコン３では、主制御系３４１の主制御部３４１１が、監視状態が開始してからの時間を計測し、所定時間が経過したか否かを判定する（処理ＳＲ１３）。
ここで、所定時間が経過したと判定された場合には、主制御部３４１１は、表示制御系３４４の表示制御部３４４１に制御信号を出力し、プロジェクタ本体２からの応答がない旨のエラーメッセージを含む画像を、表示部３１に表示して（処理ＳＲ３１）、処理を終了する。なお、このようなエラーメッセージを含む画像情報は、ＲＯＭ３４２に予め記憶されている。
一方、所定時間が経過していないと判定された場合には、プロジェクタ本体２からの画像情報の受信監視を続行し、主制御部３４１１による画像情報が受信されたか否かの判定が行われる（処理ＳＲ１４）。
【００８６】
ここで、画像情報が入力しなかったと判定された場合には、再び処理ＳＲ１２に戻って、画像情報の受信監視が続行される。
一方、画像情報が入力したと判定された場合には、当該画像情報に基づいて表示部３１に画像の表示を行う（処理ＳＲ１５）。
【００８７】
ここで、リモコン３が処理ＳＲ１１でメニュー画像を要求する信号を送信し、プロジェクタ本体２から当該画像の情報を受信した場合は、主制御部３４１１は、表示制御系３４４の表示制御部３４４１を介して、全体画像領域情報生成部３４４２に、メモリ３４５から入力するメニュー画像の画像情報に基づく全体画像領域情報を生成させる。この場合では、全体画像領域情報にはメニュー画像の領域だけでなく、当該メニュー画像の画像情報が含まれる。このように生成したメニュー画像に係る全体画像領域情報は、画像領域合成部３４４４に出力され、当該画像領域合成部３４４４にて、当該情報に基づく画像が表示部３１に表示される。
【００８８】
また、リモコン３が処理ＳＲ１１で表示画像を要求する信号を送信し、プロジェクタ本体２から当該画像の情報を受信した場合には、主制御部３４１１は、表示制御部３４４１を介して、全体画像領域情報生成部３４４２および出力画像領域情報生成部３４４３に制御信号を送信して、メモリ３４５から入力する全体画像の画像情報および出力画像の画像情報に応じた画像領域情報を生成する。
具体的には、全体画像領域情報生成部３４４２は、全体画像の画像情報に応じて、全体画像の表示領域を設定し、当該領域内に表示画像が含まれる全体画像領域情報を生成する。また、出力画像領域情報生成部３４４３は、出力画像の画像情報に応じて、表示可能画像における表示画像の位置に対応した全体画像の位置に、出力画像の領域を設定し、当該領域外を暗くし、当該領域内を明るくした画像の情報である出力画像領域情報を生成する。
これら表示画像領域情報および出力画像領域情報は画像領域合成部３４４４に出力され、加算・重畳されて、表示部３１に当該重畳した画像領域情報に基づく画像が表示される。
【００８９】
さらに、リモコン３が処理ＳＲ１１で分割画像を要求する信号を送信し、プロジェクタ本体２から当該画像の情報を受信した場合は、主制御部３４１１は、表示制御部３４４１を介して、全体画像領域情報生成部３４４２および出力画像領域情報生成部３４４３に制御信号を送信して、メモリ３４５から入力する全体画像としての分割画像の画像情報および出力画像としての選択領域の画像情報に応じた画像領域情報を生成する。
具体的には、全体画像領域情報生成部３４４２は、分割画像の画像情報に応じて、分割画像の表示領域を設定し、当該領域内に分割画像が含まれる全体画像領域情報を生成する。また、出力画像領域情報生成部３４４３は、選択領域以外の領域を暗くし、選択領域内を明るくした画像の画像領域情報を生成する。
これら表示画像領域情報および画像領域情報は画像領域合成部３４４４に出力され、加算・重畳されて、表示部３１に当該重畳した画像領域情報に基づく画像が表示される。
【００９０】
このような処理ＳＲ１５のよる表示部３１における画像表示の後、リモコン３は、使用者による入力操作を待機して（処理ＳＲ１６）、主制御部３４１１により、入力操作の有無を判定する（処理ＳＲ１７）。
ここで、表示部３１上に設けられたタッチパネル３２に対して入力操作が行われていないと判定されると、主制御部３４１１は、処理ＳＲ１６に戻って、再び入力操作の待機状態となる。
一方、タッチパネル３２に対して入力操作が行われたと判定された場合には、全体画像領域３１１Ａにおける入力操作が行われた位置の座標を算出し、当該座標を示す座標情報を操作制御信号としてプロジェクタ本体２に送信する。また、キー表示領域３１２，３１３に入力操作が行われた場合には、入力操作が行われたキーを特定して、当該キーを表す操作制御信号を、プロジェクタ本体２に送信し（処理ＳＲ１８）、図１３に示すように、プロジェクタ本体２からの情報の受信を待機する（処理ＳＲ１９）。
【００９１】
また、図１２に示すように、処理ＳＰ１６により、リモコン３からの操作制御信号の受信待機状態のプロジェクタ本体２では、主制御部２４１が、操作制御信号を受信したかの判定を行う（処理ＳＰ１７）。
ここで、操作制御信号を受信していないと判定された場合には、処理ＳＰ１６に戻って操作制御信号の受信待機を続行する。
一方、操作制御信号を受信したと判定された場合には、主制御部２４１は、当該操作制御信号が座標情報であるかを判定する（処理ＳＰ１８）。
【００９２】
ここで、座標情報でないと判定された場合には、処理ＳＰ１３に戻って、画像要求信号であるかの判定が行われる。
一方、座標情報であると判定された場合には、図１３に示すように、入力操作が行われた座標が、表示可能画像の領域のどの位置にあるかを解析する（処理ＳＰ１９）。
この座標解析は、リモコン３の表示部３１にメニュー画像が表示されていた場合には、どのキーに対して入力操作が行われたのか、また、電子ズーム時、アスペクト変換時、入力切替時、文字入力時においては、表示可能画像のどの領域が指定されたのかを解析する。
【００９３】
この座標解析の後、プロジェクタ本体２の駆動設定を変更するリモコン３の操作であったのかが判定され（処理ＳＰ２０）、駆動設定を変更する入力操作であったと判定された場合には、当該設定変更を反映させる（処理ＳＰ２１）。例えば、電子ズーム時やアスペクト変換時に、表示画像の領域を変更する入力操作があった場合には、座標情報から変更された領域を特定し、表示画像形成部２４４２による表示可能画像における表示画像の領域を変更する。また、メニュー画像が表示されている場合の入力操作で、プロジェクタ本体２の駆動設定を変更する場合においても、当該設定変更を反映させる。
【００９４】
処理ＳＰ２０の判定により、駆動設定の変更を要する場合は、処理ＳＰ２１の後、また、変更を要しない場合は、処理ＳＰ２０の後、プロジェクタ本体２の主制御部２４１は、リモコン３に画像を表示させる画像情報を生成して（処理ＳＰ２２）、当該リモコン３に送信（処理ＳＰ２３）して処理を終了する。なお、処理ＳＰ２２，ＳＰ２３は、処理ＳＰ１４，ＳＰ１５と略同じであるので、説明を省略する。
【００９５】
処理ＳＲ１９にて、画像情報の入力待機状態にあったリモコン３は、処理ＳＲ１３と同様に、座標情報の送信から所定の時間が経過したかを判定して（処理ＳＲ２０）、所定の時間が経過していた場合には、タイムアウトとして、プロジェクタ本体２からの応答がない旨のエラーメッセージを表示（処理ＳＲ３１）して、処理を終了する。
また、リモコン３の主制御部３４１１で、画像情報が受信されたかが判定され（処理ＳＲ２１）、受信されなかったと判定された場合には、処理ＳＲ１９に戻って、画像情報の受信待機を継続する。
また、画像情報が受信されたと判定された場合には、表示制御系３４４により、当該画像情報に基づく画像が、表示部３１に表示され（処理ＳＲ２２）、処理が終了される。
【００９６】
以上、説明した本実施形態のプロジェクタシステムによれば、以下の効果を奏することができる。
すなわち、リモコン３の表示部３１に、プロジェクタ本体２に入力する画像情報に基づく表示可能画像に係る全体画像、および、プロジェクタ本体２から投射されて表示される表示画像に係る出力画像が表示されるので、出力画像が全体画像におけるどの領域であるのか、すなわち、表示画像が表示可能画像におけるどの領域であるのかを、容易に確認することができる。
従って、使用者は、リモコン３の表示部３１に表示される全体画像および出力画像を確認しながら、リモコン３に対して入力操作を行うことができ、これにより、プロジェクタ本体２を遠隔操作することができる。従って、リモコン３の操作性を向上することができるとともに、プロジェクタシステム１の操作性を向上することができる。
【００９７】
（５）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００９８】
前記実施形態では、リモコン３の表示部３１は、プロジェクタ本体２で生成した、画像情報に基づく表示可能画像に係る全体画像、および、プロジェクタ本体２で表示する表示画像に係る出力画像を表示するとしたが、本発明はこれに限らない。すなわち、全体画像および出力画像のうち、少なくともいずれかが表示されるように構成されていればよい。
【００９９】
例えば、リモコン３の表示部３１に全体画像が表示されている場合には、当該表示部３１には、プロジェクタ本体２から投射される表示画像以外の画像も表示されることとなるので、プロジェクタ本体２にどのような画像の画像情報が入力しているのかを確認することができる。従って、このような場合でも、リモコン３の操作性を向上できる。
また、表示部３１に出力画像が表示されている場合には、リモコン３に対する入力操作の際に、プロジェクタ本体２が光学像を投射するスクリーン５に向かい合う必要がなく、リモコン３の表示部３１を見ながら当該リモコン３に対して入力操作を行うことができる。従って、このような場合でも、リモコン３の利便性を向上することができる。
【０１００】
前記実施形態では、リモコン３はタッチパネル３２を備えて構成されるとしたが、本発明はこれに限らず、リモコン３にスイッチを設け、このスイッチによりプロジェクタ本体２を遠隔操作する構成としてもよい。
なお、リモコン３がタッチパネル３２を備え、当該タッチパネル３２が表示部３１上に設けられている構成とすれば、表示部３１上に表示される画像やキーを直接操作するように、リモコン３に対して入力操作を行うことができる。従って、リモコン３の入力操作を簡略化することができる。
【０１０１】
前記実施形態では、画像領域合成部３４４４により、全体画像領域情報および出力画像領域情報を加算・重畳して、表示部３１に当該画像領域情報に基づく画像を表示するとしたが、本発明はこれに限らず、それぞれの画像領域情報に基づく画像を表示するように構成してもよい。
なお、画像領域合成部３４４４を備え、当該画像領域合成部３４４４により、全体画像領域情報および出力画像領域情報を加算・重畳した画像領域情報に基づく画像を表示するようにすれば、全体画像における出力画像の位置、すなわち、表示可能画像における表示画像の位置を容易に認識できるほか、リモコン３の表示部３１を小型化することができる。
【０１０２】
前記実施形態では、プロジェクタ本体２と、リモコン３とを無線ＬＡＮ等による無線通信を行うとしたが、他の通信形式を採用してもよい。すなわち、電波を利用した無線通信ではなく、赤外線等を用いた通信としてもよい。さらに、通信ケーブルを介した有線通信としてもよい。この場合、プロジェクタ本体２とリモコン３との通信が、高い通信速度で実現できるので、情報圧縮部２５０による画像情報の圧縮を軽減して、より鮮明な画像をリモコン３の表示部３１に表示することが可能となる。
なお、プロジェクタ本体２とリモコン３とを無線で通信することにより、場所を選ばずにリモコン３からプロジェクタ本体２を遠隔操作することができる。
【０１０３】
前記実施形態では、電子ズーム時に、プロジェクタ本体２は、リモコン３で指定された出力画像の領域を拡大した表示画像を形成してスクリーン５に投射するとしたが、新たな機能として、表示可能画像を液晶パネル２１４１の画像形成領域における所定の位置に形成し、当該所定の位置を、リモコン３で指定することによって、スクリーン５上に投射される表示画像としての表示可能画像の位置を変更できる機能を付加してもよい。このような場合、リモコン３の表示部３１に形成される全体画像の領域を液晶パネル２１４１における画像形成領域とし、当該領域内に、表示画像としての表示可能画像に係る出力画像を表示するようにする。そして、出力画像の位置を表示部３１上で指定することにより、当該指定した位置に対応する液晶パネル２１４１の位置に、表示可能画像を形成して、スクリーン５上に投射することで、スクリーン５上の表示可能画像の位置を変更することができる。
さらに、リモコン３の表示部３１に表示された出力画像の領域を変形して、スクリーン５上に表示された表示画像の台形補正を行える機能を付加してもよい。この場合、表示部３１に表示された出力画像の領域を、タッチペン３６等で変形することにより、プロジェクタ本体２から投射される表示画像の台形補正を行えるようにしてもよい。
【０１０４】
前記実施形態では、画像表示装置として、液晶パネル２１４１を利用して形成した光学像を拡大投射するプロジェクタ本体２を例示したが、本発明はこれに限らず、マイクロミラーなど液晶パネル以外の光学素子を利用したプロジェクタにも採用することができる。この場合、入射側偏光板２１４２および射出側偏光板２１４３は、省略することができる。さらに、プロジェクタに限らず、ＣＲＴ（Cathode-Ray Tube）ディスプレイ、液晶ディスプレイおよびプラズマディスプレイ等にも、本発明を採用することができる。
また、前記実施形態では、画像表示装置として、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【産業上の利用可能性】
【０１０５】
本発明は、プロジェクタのリモコンに好適に利用できる他、入力する画像情報に応じて画像を形成する画像表示装置のリモコンとしても利用することができる。また、このような画像表示装置と、リモコンとを備えた画像表示システムに好適に利用することができる。
【図面の簡単な説明】
【０１０６】
【図１】本発明の一実施形態に係るプロジェクタシステムを示す構成図。
【図２】前記実施形態におけるプロジェクタ本体の内部構成を示す模式図。
【図３】前記実施形態におけるプロジェクタ本体の内部構成を示すブロック図。
【図４】前記実施形態におけるリモートコントローラを示す概要斜視図。
【図５】前記実施形態におけるリモートコントローラの表示部に表示される基本画面を示す図。
【図６】前記実施形態におけるリモートコントローラの表示部に表示されるメニュー画像を示す図
【図７】（Ａ）前記実施形態における電子ズーム時に画像表示領域に表示される画像を示す図。（Ｂ）前記実施形態における電子ズーム後にプロジェクタ本体から投射される画像を示す図。
【図８】（Ａ）前記実施形態におけるアスペクト変換時に画像表示領域に表示される画像を示す図。（Ｂ）前記実施形態におけるアスペクト変換後にプロジェクタ本体から投射される画像を示す図。
【図９】（Ａ）前記実施形態における入力切替時に画像表示領域に表示される画像を示す図。（Ｂ）前記実施形態における入力切替後にプロジェクタ本体から投射される画像を示す図。
【図１０】（Ａ）前記実施形態における文字入力時に画像表示領域に表示される画像を示す図。（Ｂ）前記実施形態における文字入力後にプロジェクタ本体から投射される画像を示す図。
【図１１】前記実施形態におけるリモートコントローラの内部構成を示すブロック図。
【図１２】前記実施形態におけるプロジェクタ本体およびリモートコントローラの処理フローを示す図。
【図１３】前記実施形態におけるプロジェクタ本体およびリモートコントローラの処理フローを示す図。
【符号の説明】
【０１０７】
１…プロジェクタシステム（画像表示システム）、２…プロジェクタ本体（画像表示装置）、３…リモコン（リモートコントローラ）、２４…制御基板（表示装置側制御手段）、３１…表示部（操作側表示手段）、３２…タッチパネル（操作手段）、３４…制御基板（操作側制御手段）、２３１…受信部（表示装置側受信手段）、２３２…送信部（表示装置側送信手段）、３３２…送信部（操作側送信手段）、３４４２…全体画像領域情報生成部、３４４３…出力画像領域情報生成部、３４４４…画像領域合成部。
【図１】
2006139222.tif 000003
【図２】
2006139222.tif 000004
【図３】
2006139222.tif 000005
【図４】
2006139222.tif 000006
【図５】
2006139222.tif 000007
【図６】
2006139222.tif 000008
【図７】
2006139222.tif 000009
【図８】
2006139222.tif 000010
【図９】
2006139222.tif 000011
【図１０】
2006139222.tif 000012
【図１１】
2006139222.tif 000013
【図１２】
2006139222.tif 000014
【図１３】
2006139222.tif 000015